(57)【要約】【課題】空気調和機の送風機の送風能力が不足する場合であっても、室内の空気調和を適切に行うことができる吹出しダクト組立体を提供する。【解決手段】吹出しダクト組立体４は、調和された空気を室内ファン２３によって吹き出す空気調和機１の室内機２と組み合わせて用いられ空気調和機１から送られる空気を室内へと吹き出す吹出しダクト組立体であって、吹出しダクト本体５ａと昇圧ユニット６とを備える。吹出しダクト本体５ａは、空気調和機１の室内機２から送られる空気が通る内部空間を有し、空気が表面から吹き出る。昇圧ユニット６は、空気調和機１の室内機２の室内ファン２３による空気の送風を補助する。【選択図】        図１
2004361052.tif 000002
【特許請求の範囲】
【請求項１】
調和された空気を第１送風機（２３）によって吹き出す空気調和機（１）と組み合わせて用いられ前記空気調和機（１）から送られる前記空気を室内（Ｒ）へと吹き出す吹出しダクト組立体であって、
前記空気調和機（１）から送られる前記空気が通る内部空間（ＰＳ）を有し前記空気が表面から吹き出る吹出しダクト本体（５ａ，５ｂ）と、
前記空気調和機（１）の前記第１送風機（２３）による前記空気の送風を補助する補助送風装置（６）と、
を備える吹出しダクト組立体（４）。
【請求項２】
前記補助送風装置（６）は、前記内部空間（ＰＳ）を通る前記空気の流れを生成する、
請求項１に記載の吹出しダクト組立体（４）。
【請求項３】
前記補助送風装置（６）は、
前記空気調和機（１）から送られる前記空気を吸い込む吸込み口（６４）と、
前記吹出しダクト本体（５ａ，５ｂ）の前記内部空間（ＰＳ）へと前記空気を吹き出す第１吹出し口（６５）と、
前記吸込み口（６４）から吸い込まれた前記空気を前記第１吹出し口（６５）から吹き出させる第２送風機（６２）と、
を有する、
請求項１または２に記載の吹出しダクト組立体（４）。
【請求項４】
前記補助送風装置（６）は、
前記吸込み口（６４）から吸い込まれた前記空気を前記室内（Ｒ）へと吹き出す第２吹出し口（６６）と、
前記第１吹出し口（６５）からの前記空気の吹出しと前記第２吹出し口（６６）からの前記空気の吹出しとを切り換える切換手段（６３）と、
をさらに有する、
請求項３に記載の吹出しダクト組立体（４）。
【請求項５】
前記吹出しダクト本体（５ａ，５ｂ）と前記補助送風装置（６）とは前記室内（Ｒ）の天井面（ＣＬ）近傍に配置され、
前記第２吹出し口（６６）は前記補助送風装置（６）の下方へと前記空気を吹き出す、
請求項４に記載の吹出しダクト組立体（４）。
【請求項６】
前記空気調和機（１）は冷房運転および暖房運転を行い、
前記冷房運転時には前記第１吹出し口（６５）からの前記空気の吹出しを行い、前記暖房運転時には前記第２吹出し口（６６）からの前記空気の吹出しを行うように前記切換手段（６３）を制御する制御部（８）をさらに備える、
請求項５に記載の吹出しダクト組立体（４）。
【請求項７】
前記空気調和機（１）は、前記空気を吹き出す送風口（２７）を有し、
前記送風口（２７）へと着脱自在に接続される接続部（６４）をさらに備える、
請求項１から６のいずれかに記載の吹出しダクト組立体（４）。
【請求項８】
前記吹出しダクト本体（５ａ，５ｂ）は、所定の輻射率を有する繊維系材料によって形成される、
請求項１から７のいずれかに記載の吹出しダクト組立体（４）。
【請求項９】
前記吹出しダクト本体（５ａ，５ｂ）は、略平板状の形状を有する、
請求項８に記載の吹出しダクト組立体（４）。
【請求項１０】
調和された空気を第１送風機（２３）によって吹き出す空気調和機（１）と、
請求項１から９のいずれかに記載の吹出しダクト組立体（４）と、
を備える空気調和システム（１００）。
【発明の詳細な説明】
【０００１】
【発明の属する技術分野】
本発明は、吹出しダクト組立体および空気調和システムに関する。
【０００２】
【従来の技術】
従来より、空気調和機と組み合わされて用いられ室内の空気調和を行う吹出しダクトがよく利用されている。この吹出しダクトは、例えば、繊維材料からなる織物を中空筒状に形成した構造を有しており、空気調和機に取り付けられる。空気調和機は、調和された空気を送風機によって吹出しダクトの内部空間へと吹き出す。調和された空気が吹出しダクトの内部空間に空気調和機から供給されると、空気の内圧によって吹出しダクトが膨らみ、吹出しダクトの周面から低風速の気体が吹き出される。これにより、ドラフトによる不快感の少ない快適な空気調和が行われる。
【０００３】
【特許文献１】
特開平３−１１０３４３号公報
【０００４】
【発明が解決しようとする課題】
しかし、上記のような吹出しダクトでは、空気調和機の送風機の送風能力が不足する場合に、室内の空気調和を適切に行うことが困難になる。例えば、吹出しダクトが組み合わされる空気調和機が、その吹出しダクトのために専用設計されたものではない場合には、空気抵抗の大きい吹出しダクトが空気調和機に取り付けられることになり、送風機の送風能力が不足することがある。また、当初は送風機の能力が十分であった場合でも、当初用いられていた吹出しダクトが別のものに交換されて、吹出しダクトによる空気抵抗が増大することがある。このように、送風機の能力が吹出しダクトによる空気抵抗の大きさに見合わない場合には、送風機への負荷が過大となって所望の風量を満たすことができない恐れがある。また、このような場合、空気調和機の起動時に、瞬間的に大きな負荷が生じるサージングが空気調和機において発生して、適切な温度調整が困難となる場合もある。このように、送風機への負荷が過大となることから、空気調和機が適切にコントロールされなくなる恐れもある。
【０００５】
本発明の課題は、空気調和機の送風機の送風能力が不足する場合であっても、室内の空気調和を適切に行うことができる吹出しダクト組立体を提供することにある。
【０００６】
【課題を解決するための手段】
請求項１に記載の吹出しダクト組立体は、調和された空気を第１送風機によって吹き出す空気調和機と組み合わせて用いられ空気調和機から送られる空気を室内へと吹き出す吹出しダクト組立体であって、吹出しダクト本体と補助送風装置とを備える。吹出しダクト本体は、空気調和機から送られる空気が通る内部空間を有し、空気が表面から吹き出る。補助送風装置は、空気調和機の第１送風機による空気の送風を補助する。
【０００７】
この吹出しダクト組立体では、空気調和機の第１送風機によって空気調和機から吹出しダクト本体の内部空間へと調和された空気が送られると共に、補助送風装置によって第１送風機による空気の送風が補助される。このため、第１送風機の送風能力が不足する場合であっても、空気調和機から送られる空気を室内へと十分に送ることができる。これにより、この吹出しダクト組立体では、第１送風機の送風能力が不足する場合であっても、室内の空気調和を適切に行うことができる。
【０００８】
請求項２に記載の吹出しダクト組立体は、請求項１に記載の吹出しダクト組立体であって、補助送風装置は、内部空間を通る空気の流れを生成する。
この吹出しダクト組立体では、補助送風装置は、内部空間を通る空気の流れを生成する。このため、第１送風機によって送られた空気が補助送風装置によって昇圧される。これにより、この吹出しダクト組立体では、第１送風機の送風能力が不足する場合であっても、室内の空気調和を適切に行うことができる。
【０００９】
請求項３に記載の吹出しダクト組立体は、請求項１または２に記載の吹出しダクト組立体であって、補助送風装置は、吸込み口と第１吹出し口と第２送風機とを有する。吸込み口は、空気調和機から送られる空気を吸い込む。第１吹出し口は、吹出しダクト本体の内部空間へと空気を吹き出す。第２送風機は、吸込み口から吸い込まれた空気を第１吹出し口から吹き出させる。
【００１０】
この吹出しダクト組立体では、第１送風機によって送られた空気が吸込み口から吸い込まれ第２送風機によって昇圧されて第１吹出し口から吹出しダクト本体の内部空間へと送られる。このため、第１送風機の送風能力が第２送風機によって補助される。従って、この吹出しダクト組立体では、第１送風機の送風能力が不足する場合であっても、空気を吹出しダクト本体の内部空間へと十分に送ることができ、室内の空気調和を適切に行うことができる。
【００１１】
請求項４に記載の吹出しダクト組立体は、請求項３に記載の吹出しダクト組立体であって、補助送風装置は、第２吹出し口と切換手段とをさらに有する。第２吹出し口は、吸込み口から吸い込まれた空気を室内へと吹き出す。切換手段は、第１吹出し口からの空気の吹出しと第２吹出し口からの空気の吹出しとを切り換える。
【００１２】
この吹出しダクト組立体では、切換手段によって、吹出しダクト本体からの吹出しと第２吹出し口の吹出しとを切り換えることができる。このため、空気調和機の運転内容などに応じて、吹出しダクト本体からの吹出しと第２吹出し口の吹出しとのうちより効果的な方を選択することができる。例えば、冷房と暖房とで、異なる吹出しを行うことができる。これにより、この吹出しダクト組立体では、より効果的に室内の空気調和を行うことができる。
【００１３】
請求項５に記載の吹出しダクト組立体は、請求項４に記載の吹出しダクト組立体であって、吹出しダクト本体と補助送風装置とは、室内の天井面近傍に配置される。そして、第２吹出し口は、補助送風装置の下方へと空気を吹き出す。
この吹出しダクト組立体では、吹出しダクト本体と補助送風装置とは、室内の天井面近傍に配置される。従って、冷房時に第１吹出し口からの吹出しに切り換えられることによって、天井面近傍に配置された吹出しダクト本体から冷気が吹き出される。冷気は下方へと対流し易いが、冷気が室内の天井面近傍から吹き出されることによって室内を幅広く冷房することができる。また、暖房時に第２吹出し口からの吹き出しに切り換えられることによって、補助送風装置の下方へと暖気が吹き出される。暖気は上方へと対流し易いが、暖気が下方へと吹き出されることによって室内を幅広く暖房することができる。このように、この吹出しダクト組立体では、より効果的に室内の空気調和を行うことができる。
【００１４】
請求項６に記載の吹出しダクト組立体は、請求項５に記載の吹出しダクト組立体であって、空気調和機は冷房運転および暖房運転を行う。そして、吹出しダクト組立体は、制御部をさらに備える。制御部は、冷房運転時には第１吹出し口からの空気の吹出しを行い、暖房運転時には第２吹出し口からの空気の吹出しを行うように切換手段を制御する。
【００１５】
この吹出しダクト組立体では、第１吹出し口からの吹出しと第２吹出し口からの吹出しとが冷房運転時と暖房運転とで自動的に切り換えられる。冷房時に第１吹出し口からの吹出しが自動的に行われることによって、天井面近傍に配置された吹出しダクト本体から冷気が吹き出される。冷気は下方へと対流し易いが、冷気が室内の天井面近傍から吹き出されることによって室内を幅広く冷房することができる。また、暖房時に第２吹出し口からの吹出しが自動的に行われることによって、補助送風装置の下方へと暖気が吹き出される。暖気は上方へと対流し易いが、暖気が下方へと吹き出されることによって室内を幅広く暖房することができる。このように、この吹出しダクト組立体では、効果的な室内の空気調和を簡易に行うことができる
請求項７に記載の吹出しダクト組立体は、請求項１から６のいずれかに記載の吹出しダクト組立体であって、空気調和機は、空気を吹き出す送風口を有する。そして、吹出しダクト組立体は、送風口へと着脱自在に接続される接続部をさらに備える。
【００１６】
この吹出しダクト組立体は、接続部によって空気調和機に着脱自在に取り付けられる。このため、大きさや形状等の異なる吹出しダクト組立体への取換が容易である。また、吹出しダクト組立体が大きさや形状等の異なるものへ取り換えられることによって空気調和機の第１送風機の送風能力が不足することになっても、補助送風装置によって送風が補助される。従って、この吹出しダクト組立体では、大きさや形状等の異なるものへの取換が行われた場合であっても、室内の空気調和を適切に行うことができる。
【００１７】
請求項８に記載の吹出しダクト組立体は、請求項１から７のいずれかに記載の吹出しダクト組立体であって、吹出しダクト本体は、所定の輻射率を有する繊維系材料によって形成される。
この吹出しダクト組立体では、吹出しダクト本体は、所定の輻射率を有する繊維系材料によって形成される。従って、吹出しダクト本体の内部空間を通る空気の温度によって吹出しダクト本体の温度が調整され、吹出しダクト本体が輻射面として機能する。また、吹出しダクト本体の繊維の隙間から、調和された空気が穏やかに室内へと吹き出される。このため、吹出しダクト本体からの穏やかな空気の吹出しによって室内の空気調和を行うことができる。このように、この吹出しダクト組立体では、輻射と穏やかな空気の吹出しとの両方によって室内の空気調和を行うことができる。これにより、この吹出しダクト組立体では、ドラフトによる不快感を抑えつつ室内の空気調和を行うことができる。
【００１８】
請求項９に記載の吹出しダクト組立体は、請求項８に記載の吹出しダクト組立体であって、吹出しダクト本体は、略平板状の形状を有する。
吹出しダクトが輻射面として機能する場合、輻射効率の向上のためには、輻射面として機能する吹出しダクトの面積は大きい方が望ましい。
この吹出しダクト組立体では、吹出しダクト本体は、略平板状の形状を有する。このため、比較的大きな輻射面を容易に確保することができる。これにより、この吹出しダクト組立体では、吹出しダクト本体の輻射面の面積を大きく確保することによって、室内の空気調和をより十分に行うことができる。
【００１９】
請求項１０に記載の空気調和システムは、空気調和機と吹出しダクト組立体とを備える。空気調和機は、調和された空気を第１送風機によって吹き出す。吹出しダクト組立体は、請求項１から９のいずれかに記載の吹出しダクト組立体である。
この空気調和システムでは、空気調和機の第１送風機によって空気調和機から吹出しダクト本体の内部空間へと調和された空気が送られると共に、補助送風装置によって第１送風機による空気の送風が補助される。このため、第１送風機の送風能力が不足する場合であっても、空気調和機から送られる空気を室内へと十分に送ることができる。これにより、この空気調和システムでは、第１送風機の送風能力が不足する場合であっても、室内の空気調和を適切に行うことができる。
【００２０】
【発明の実施の形態】
［全体構成］
本発明の第１実施形態にかかる空気調和システム１００を図１に示す。この空気調和システム１００は、一般家庭の室内Ｒの空気調和を行う空気調和システム１００であって、空気調和機１と吹出しダクト組立体４とを備えている。吹出しダクト組立体４は、調和された空気を吹き出す空気調和機１と組み合わせて用いられることによって、表面から調和された空気を吹き出すと共に、表面から輻射が生じて輻射によって室内Ｒの温度調整を行うことができる。従って、この空気調和システム１００は、輻射と、温度調整された空気の吹き出しとによって冷暖房等の室内Ｒの空気調和を行うことができる。なお、図１では、理解の容易のため、空気調和機１の室内機２の一部が断面図として示されている。
【００２１】
空気調和機１は、調和された空気を吹き出す送風口２７を有し、送風口２７から室内Ｒへと調和された空気を吹き出す。空気調和機１は、吹出しダクト組立体４と組み合わせて用いられない場合でも一般家庭の室内Ｒの空気調和を独立して行うことができる対流型空気調和機である。この空気調和システム１００では、空気調和機１の送風口２７に吹出しパネル組立体４が取り付けられている。空気調和機１は、室内Ｒから取り込んだ空気を調和して吹出しダクト組立体４へと送る。空気調和機１は、室外機３と室内機２とを有している。
【００２２】
室外機３は、室外に配置され、図２に示すように、圧縮機３１、四路切換弁３２、電動弁３３、室外ファン（図示せず）、室外ファンモータ３４、室外機温度センサ３５、室外熱交換器（図示せず）等を備えている。
圧縮機３１、電動弁３３、四路切換弁３２、室外熱交換器等は、後述する室内熱交換器２２と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２３】
室内機２は、図１に示すように室内Ｒの天井面ＣＬ近傍の側壁に配置される壁掛け型室内機であって、室内機ケーシング２１、室内熱交換器２２、室内ファン２３、室内ファンモータ２４（図２参照）、室内機温度センサ２５（図２参照）などを備えている。
室内機ケーシング２１は、室内熱交換器２２や室内ファン２３等を内部に収納しており、室内機吸込み口２６と送風口２７とを有している。室内機吸込み口２６は、室内Ｒから室内機ケーシング２１内へと取り入れられる空気が通る開口である。送風口２７は、室内機ケーシング２１内で室内熱交換器２２を通って吹出しダクト組立体４へと送られる空気が通る開口であり、後述する吹出しダクト組立体４の昇圧ユニット６の吸込み口６４に接続される。なお、室内機２の送風口２７には空気を案内するフラップが設けられていることが多いが、このフラップは、吹出しダクト組立体４の取り付け時に取り外されている。
【００２４】
室内熱交換器２２は、室外熱交換器や圧縮機３１等と冷媒配管１０を介して接続されている。室内熱交換器２２は、通過する空気との間で熱交換を行うことによって、空気の温度調整を行う。
室内ファン２３は、室内ファンモータ２４によって回転駆動されるクロスフローファンであり、室内Ｒから取り込まれ吹出しダクト組立体４へと送られる空気流を生成する。この空気流は、室内機吸込み口２６から室内機ケーシング２１の内部に取り込まれ室内熱交換器２２を通って送風口２７から吹き出され吹出しダクト組立体４の内部へと到る空気の流れである。
【００２５】
室内機温度センサ２５には、室内熱交換器２２の温度や室内Ｒの空気の温度等を検出する各種の温度センサが含まれる。
吹出しダクト組立体４は、天井面ＣＬの近傍に配置され、温度調整された空気の温度を利用した輻射と、温度調整された空気の吹出しとによって冷暖房等の空気調和を行う。吹出しダクト組立体４の構成については、後に詳細に説明する。
【００２６】
また、空気調和機１は、制御部７を備えている。制御部７は、室外機３と室内機２とに分かれて配置されており、空気調和機１の運転制御を行う。制御部７は、図２に示すように、圧縮機３１、四路切換弁３２、電動弁３３、室外ファンモータ３４、室外機温度センサ３５、室内ファンモータ２４、室内機温度センサ２５などの構成部品と接続されている。制御部７は、リモコン７０から運転指令を受けると、各構成部品を制御して空気調和機１の運転制御を行う。
【００２７】
［吹出しダクト組立体の構成］
吹出しダクト組立体４は、図１に示すように、吹出しダクト本体５ａおよび昇圧ユニット６を有する。
〈吹出しダクト本体〉
吹出しダクト本体５ａは、図３に示すように、薄い平板状の外形を有しており、平面的な形状となっている。また、吹出しダクト本体５ａは、天井面ＣＬの近傍に天井面ＣＬに平行に配置される（図１参照）。このため、吹出しダクト本体５ａでは、下方の居住空間に対して大きな輻射面積や吹出し面積が確保されている。吹出しダクト本体５ａは、第１面５４、第２面５５、３つの側面５６および仕切り部材５２を有し、空気によって大気圧より大きな圧力が生じる圧力発生空間ＰＳを内部に構成する。
【００２８】
第１面５４は、四角形の薄いシート状の形状を有しており、圧力発生空間ＰＳの下方を閉じる。第１面５４は、室内Ｒの居住空間に面する位置に天井面ＣＬと略平行に配置されている。また、第１面５４は、約０．９の輻射率を有する織布によって形成されている。
第２面５５は、第１面５４と同一の形状であり、圧力発生空間ＰＳの上方を閉じる。第２面５５は、第１面５４と対向しており、天井面ＣＬに面する位置に配置されている。すなわち、第２面５５は、第１面５４と天井面ＣＬとの間に配置されている。また、第２面５５は、第１面５４と同じ織布で形成されている。
【００２９】
３つの側面５６は、細長い長方形の形状を有しており圧力発生空間ＰＳの側方を閉じる。３つの側面５６は、第１面５４の３つの辺と第２面５５の３つの辺とをそれぞれ繋いでいる。また、３つの側面５６は、第１面５４および第２面５５と同じ織布で形成されている。
また、吹出しダクト本体５ａの側面部分の一つには、側面５６が設けられておらず、側部開口５３が設けられている。側部開口５３は、後述する昇圧ユニット６の第１吹出し口６５に接続されている。側部開口５３は、昇圧ユニット６から圧力発生空間ＰＳへと送られる空気が通る開口である。
【００３０】
このように、吹出しダクト組立体４は、側部開口５３以外が閉じられた袋状の形状を有している。
複数の仕切り部材５２は、圧力発生空間ＰＳ内に間隔を隔てて配置され、圧力発生空間ＰＳを複数の部屋に仕切る部材である。複数の仕切り部材５２は、圧力発生空間ＰＳの空気の流れ（白抜き矢印Ａ２参照）に平行に配置されており、一端が第１面５４に固定され他端が第２面５５に固定される。従って、仕切り部材５２は、圧力発生空間ＰＳに大気圧より大きな圧力が生じた場合に、第１面５４と第２面５５とを平坦な形状に保持し、吹出しダクト本体５ａを板状の形状に保持する。
【００３１】
〈昇圧ユニット〉
昇圧ユニット６は、空気調和機１の室内ファン２３による空気の送風を補助する装置である。昇圧ユニット６は、吹出しダクト組立体４から室内Ｒへと空気を吹出させるために必要な送風の圧力に対して、室内ファン２３では不足する分を昇圧する。昇圧ユニット６は、図４に示すように、昇圧ユニットケーシング６１、昇圧ファン６２、切換ダンパ６３などを有している。
【００３２】
昇圧ユニットケーシング６１は、昇圧ファン６２や切換ダンパ６３を収容しており、空気調和機１と吹出しダクト本体５ａとの間に設けられる。なお、昇圧ユニットケーシング６１は、十分に断熱された構造となっている。昇圧ユニットケーシング６１には、接続機構（図示せず）、吸込み口６４、第１吹出し口６５、第２吹出し口６６などが設けられている。接続機構は、空気調和機１の送風口２７の周囲に着脱自在に固定される部分であり、接続機構によって昇圧ユニット６が空気調和機１の室内機２に固定される。すなわち、昇圧ユニット６の接続機構によって、吹出しダクト組立体４が空気調和機１に固定される。吸込み口６４は、接続機構によって、空気調和機１の送風口２７に着脱自在に接続され、送風口２７から吹き出される空気を吸い込む。第１吹出し口６５は、吹出しダクト本体５ａの側部開口５３に接続され、吹出しダクト本体５ａの圧力発生空間ＰＳへと吸込み口６４から吸い込まれた空気を吹き出す。第２吹出し口６６は、昇圧ユニットケーシング６１の下面に設けられており、吸込み口６４から吸い込まれた空気を下方へと吹き出して、室内機２から送られた空気を室内Ｒへと吹き出す（図５参照）。なお、第１吹出し口６５からの吹出しと第２吹出し口６６からの吹出しとは、切換ダンパ６３によって切り換えられる。
【００３３】
昇圧ファン６２は、吸込み口６４から吸い込まれた空気を第１吹出し口６５から吹き出させる。昇圧ファン６２は、室内ファン２３よりも大きな送風能力を有しており、例えば遠心ファンによって構成される。昇圧ファン６２は、吸込み口６４から吸い込まれ第１吹出し口６５を通って圧力発生空間ＰＳへと送られ吹出しダクト本体５ａの表面から室内Ｒへと吹き出る空気の流れを生成する。昇圧ファン６２は、室内機２から吹き出され吹出しダクト本体５ａの表面から吹き出る空気を途中で昇圧することによって、室内ファン２３では不足する空気の送風能力を補うことができる。すなわち、送風口２７に吹出しダクト組立体４が取り付けられると、圧力発生空間ＰＳを通り吹出しダクト本体５ａの表面の繊維の隙間から室内Ｒへと吹き出すための空気抵抗が増大する。昇圧ファン６２は、室内ファン２３の送風能力を増大する空気抵抗の分だけ補うことができる。昇圧ファン６２は、室内ファン２３では不足する空気の送風能力を補うように制御され、例えば、送風口２７において送風に対する抵抗が大気圧程度に低減されるように制御される。なお、昇圧ファン６２は、必要とされる送風能力等に応じて、室内ファン２３と同程度又は室内ファン２３よりも小さな送風能力を有するものが使用されてもよい。
【００３４】
切換ダンパ６３は、第１吹出し口６５からの空気の吹出しと第２吹出し口６６からの空気の吹出しとを切り換える。切換ダンパ６３は、第２吹出し口６６近傍に設けられた支点６７を中心に回動することにより、第１状態と第２状態とに切り換わる。第１状態では、図４に示すように、切換ダンパ６３は第２吹出し口６６を閉じた状態となり、吸込み口６４から吸い込まれた空気を第１吹出し口６５へと案内する（実線矢印Ａ１参照）。このため、室内ファン２３および昇圧ファン６２によって吹出しダクト本体５ａの表面から吹き出る空気の流れが生成される。第１状態の切換ダンパ６３が支点６７を中心に上方へと回動すると第２吹出し口６６が開かれ第２状態となる。第２状態では、図５に示すように、切換ダンパ６３は吸込み口６４から吸い込まれた空気を第２吹出し口６６へと案内する（実線矢印Ａ５参照）。このため、室内ファン２３によって送風口２７から吹き出された空気が第２吹出し口６６を通って室内Ｒへと吹き出される。なお、切換ダンパ６３の第１状態と第２状態とは手動によって切り換えられる。
【００３５】
［空気調和システムの運転動作］
次に、この空気調和システム１００によって室内Ｒの空気調和を行う場合の運転動作について説明する。なお、切換ダンパ６３は、冷房運転時には第１状態とされており、暖房運転時には第２状態とされているものとする。
〈冷房運転〉
冷房運転時には、室内熱交換器２２が、蒸発器として機能して、通過する空気から熱を奪う。図４に示すように、室内ファン２３によって室内機吸込み口２６から室内機ケーシング２１内に取り込まれた室内Ｒの空気は、室内熱交換器２２を通過する際に熱を奪われて冷却されて送風口２７から吹き出される。
【００３６】
送風口２７から吹き出た冷却された空気は、吸込み口６４を通って、昇圧ユニット６の内部へと送られる（実線矢印Ａ１参照）。このとき、昇圧ファン６２によって送風が補助されているため、送風口２７では送風に対する抵抗が大気圧程度に低減されている。このため、室内ファン２３への負荷が低減されており、空気が昇圧ユニット６へと十分に送られる。吸込み口６４を通った空気は、昇圧ファン６２によって、図６に示すように、第１吹出し口６５を通って吹出しダクト本体５ａの圧力発生空間ＰＳへと送られる（実線矢印Ａ２参照）。空気が圧力発生空間ＰＳに送られると、大気圧より大きな正の静圧が圧力発生空間ＰＳに生じる。すなわち、天井面ＣＬに平行に流れる空気の流れ（実線矢印Ａ２参照）に対して垂直な方向に大気圧より大きな圧力が生じる。このため、冷却された空気が、吹出しダクト本体５ａの織布の繊維の隙間から押し出され、室内Ｒへと穏やかに吹き出される（実線矢印Ａ３参照）。
【００３７】
また、吹出しダクト本体５ａが冷却された空気と接触することによって、吹出しダクト本体５ａが冷却される。このため、吹出しダクト本体５ａによる冷輻射が生じる（破線矢印Ａ４参照）。
このように、この空気調和システム１００では、吹出しダクト本体５ａの繊維の隙間からの穏やかな吹き出しと、吹出しダクト本体５ａの冷輻射とによって、室内Ｒの冷房が行われる。
【００３８】
〈暖房運転〉
暖房運転時には、室内熱交換器２２が凝縮器として機能して、通過する空気を加熱する。室内熱交換器２２によって加熱された温かい空気は、図５に示すように、冷房運転時と同様に、室内ファン２３によって送風口２７から吹き出される。送風口２７から吹き出された温かい空気は、昇圧ユニット６の内部を通り切換ダンパ６３に案内されて第２吹出し口６６から吹き出される（実線矢印Ａ５参照）。第２吹出し口６６から吹き出される空気は、昇圧ユニット６の下方へ向けて吹出され室内Ｒへと送られる。
【００３９】
このように、この空気調和システム１００では、暖房時の温かい空気が昇圧ユニット６から下方へと吹き出される。暖房時の温かい空気は上方へと滞留しやすいが、この空気調和システム１００では、暖房時の温かい空気が昇圧ユニット６から下方へと吹き出されるため、居住者等の足元から温めることができる。
［特徴］
（１）
吹出しダクト組立体４が取り付けられる空気調和機１が吹出しダクト組立体４のために専用設計されたものではない場合、吹出しダクト組立体４が空気調和機１に取り付けられることによって、適切な運転が行われなくなる恐れがある。吹出しダクト組立体４が空気調和機１に取り付けられる場合には、空気調和機１が備える室内ファン２３への負荷が吹出しダクト組立体４による空気抵抗の分だけ増大する。しかし、空気調和機１が家庭内に配置され吹出しダクト組立体４なしに独立して冷暖房を行うことができる対流型の空気調和機である場合には、室内ファン２３は、吹出しダクト組立体４による負荷の増大を想定した送風能力を有するものではない。従って、空気調和機１が当初から備える室内ファン２３では出力が不足することになる。このため、所定の風量を満たせなくなることがある。また、サージングなどが発生して、冷暖房時の温度制御が正確に行われなくなるなど空気調和システム１００全体のコントロールが困難となることがある。さらに、不快な音や大きな音が発生したりする場合もある。このことは、既に室内Ｒに取り付けられている対流型の空気調和機１に吹出しダクト組立体４を後付する場合であっても、新たに室内Ｒに取り付けられる対流型の空気調和機１と共に吹出しダクト組立体４が同時に取り付けられる場合であっても同様である。また、専用設計された空気調和機１が使用される場合であっても、吹出しダクト組立体４が当初取り付けられていたものとは大きさ、形状、繊維の目の粗さなどが異なるものに交換される場合には、上記と同様の問題が生じる。
【００４０】
この吹出しダクト組立体４では、昇圧ユニット６によって、圧力発生空間ＰＳを通り吹出しダクト本体５ａの表面から吹出す空気の流れが生成される。従って、吹出しダクト組立体４への送風が昇圧ユニット６によって補助され、空気調和機１の室内ファン２３への負荷が過大となることが防止される。これにより、この吹出しダクト組立体４は、専用設計されたものではない空気調和機１に対しても適切に対応することができる。また、この吹出しダクト組立体４が空気調和機１に取り付けられても、空気調和機１の送風系に影響を与えることが少ないため、空気調和機１は、冷暖房運転時の温度制御などの本来の能力を維持することができる。
【００４１】
（２）
温度調整された空気を直接室内Ｒへと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内Ｒの温度調整が行われても、ドラフトによって居住者等の体感温度を悪化させてしまう恐れがある。
【００４２】
この空気調和システム１００では、上記のように、輻射と穏やかな空気の吹出しとによって室内Ｒの冷房を行うことができる。このため、ドラフトによる不快感を解消することができる。
（３）
暖房時の温かい空気は上方へと滞留しやすいため、天井面ＣＬ近傍に配置された吹出しダクトから穏やかに空気が吹き出されると、吹き出された暖かい空気が天井面ＣＬ近傍に滞留する恐れがある。この場合、居住者等の足元が十分に温められず、快適な暖房を行うことが困難となる。
【００４３】
この吹出しダクト組立体４では、昇圧ユニット６の切換ダンパ６３を第２状態とすることによって、第２吹出し口６６からの下方への吹出しを行うことができる。このため、暖房時には切換ダンパ６３を第２状態とすることによって、温かい空気が下方へと吹出され、居住者等の足元を温めることができる。これにより、この吹出しダクト組立体４では、快適な暖房を行うことができる。
【００４４】
＜他の実施形態＞
（１）
上記の実施形態では、切換ダンパ６３は手動で第１状態と第２状態とが切り換えられるが、切換ダンパ６３の状態が自動的に切り換えられてもよい。この場合、昇圧ユニット６は、図７に示すように、昇圧ユニット制御部８を有している。また、昇圧ユニット６は、室内温度を検知する室内温度センサ８１と昇圧ユニットケーシング６１の内部の温度を検知する内部温度センサ８２とを有している。
【００４５】
昇圧ユニット制御部８は、切換ダンパ６３の自動制御を行う。昇圧ユニット制御部８は、冷房運転時には切換ダンパ６３を第１状態として第１吹出し口６５からの空気の吹出しを行い、暖房運転時には切換ダンパ６３を第２状態として第２吹出し口６６からの空気の吹出しを行う。昇圧ユニット制御部８は、内部温度センサ８２と室内温度センサ８１との温度を比較することによって、空気調和機１が暖房運転を行っているか冷房運転を行っているかを判断して上記の制御を行う。すなわち、内部温度が室内温度よりも低い場合には、昇圧ユニット制御部８は、冷房運転が行われていると判断して切換ダンパ６３を第１状態とする。また、内部温度が室内温度よりも高い場合には、昇圧ユニット制御部８は、暖房運転が行われていると判断して切換ダンパ６３を第２状態とする。
【００４６】
このような昇圧ユニット６では、切換ダンパ６３が自動制御されることにより、居住者等の手間を増やさずに適切な冷暖房運転を行うことができる。従って、このような昇圧ユニット６を備える吹出しダクト組立体４によれば、簡易により適切な冷暖房運転を行うことができる。
（２）
上記の実施形態では、空気調和機１の室内機２に吹出しダクト組立体４が接続されているが、調和された空気が吹き出るダクト出口が室内Ｒの側壁や天井面ＣＬ等に直接に設けられている場合には、吹出しダクト組立体４がダクト出口に接続されてもよい。
【００４７】
（３）
上記の実施形態では、吹出しダクト本体５ａの材料として織布が使用されているが、織布以外の繊維系材料が使用されてもよい。
また、上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内Ｒの温度調整は可能である。
【００４８】
さらに、吹出しダクト本体５ａが繊維系材料以外の材料によって形成されその表面に複数の孔が設けられてもよい。
（４）
上記の実施形態では、冷房運転および暖房運転が主として記載されているが、吹出しダクト本体５ａ等へ湿度調整された空気が送られ、加湿・除湿運転が行われてもよい。また、冷暖房運転と加湿除湿運転とが同時に行われてもよい。さらに、温度調整等が行われていない室外の空気が吹出しダクト本体５ａへと送られる換気運転が行われ、冷暖房運転と換気運転とが選択可能とされてもよい。
【００４９】
【発明の効果】
請求項１に記載の吹出しダクト組立体では、空気調和機の第１送風機によって空気調和機から吹出しダクト本体の内部空間へと調和された空気が送られると共に、補助送風装置によって第１送風機による空気の送風が補助される。このため、第１送風機の送風能力が不足する場合であっても、空気調和機から送られる空気を室内へと十分に送ることができる。これにより、この吹出しダクト組立体では、第１送風機の送風能力が不足する場合であっても、室内の空気調和を適切に行うことができる。
【００５０】
請求項２に記載の吹出しダクト組立体では、補助送風装置は、内部空間を通る空気の流れを生成する。このため、第１送風機によって送られた空気が補助送風装置によって昇圧される。これにより、この吹出しダクト組立体では、第１送風機の送風能力が不足する場合であっても、室内の空気調和を適切に行うことができる。
【００５１】
請求項３に記載の吹出しダクト組立体では、第１送風機によって送られた空気が吸込み口から吸い込まれ第２送風機によって昇圧されて第１吹出し口から吹出しダクト本体の内部空間へと送られる。このため、第１送風機の送風能力が第２送風機によって補助される。従って、この吹出しダクト組立体では、第１送風機の送風能力が不足する場合であっても、空気を吹出しダクト本体の内部空間へと十分に送ることができ、室内の空気調和を適切に行うことができる。
【００５２】
請求項４に記載の吹出しダクト組立体では、切換手段によって、吹出しダクト本体からの吹出しと第２吹出し口の吹出しとを切り換えることができる。このため、空気調和機の運転内容などに応じて、吹出しダクト本体からの吹出しと第２吹出し口の吹出しとのうちより効果的な方を選択することができる。例えば、冷房と暖房とで、異なる吹出しを行うことができる。これにより、この吹出しダクト組立体では、より効果的に室内の空気調和を行うことができる。
【００５３】
請求項５に記載の吹出しダクト組立体では、吹出しダクト本体と補助送風装置とは、室内の天井面近傍に配置される。従って、冷房時に第１吹出し口からの吹出しに切り換えられることによって、天井面近傍に配置された吹出しダクト本体から冷気が吹き出される。冷気は下方へと対流し易いが、冷気が室内の天井面近傍から吹き出されることによって室内を幅広く冷房することができる。また、暖房時に第２吹出し口からの吹き出しに切り換えられることによって、補助送風装置の下方へと暖気が吹き出される。暖気は上方へと対流し易いが、暖気が下方へと吹き出されることによって室内を幅広く暖房することができる。このように、この吹出しダクト組立体では、より効果的に室内の空気調和を行うことができる。
【００５４】
請求項６に記載の吹出しダクト組立体では、第１吹出し口からの吹出しと第２吹出し口からの吹出しとが冷房運転時と暖房運転とで自動的に切り換えられる。冷房時に第１吹出し口からの吹出しが自動的に行われることによって、天井面近傍に配置された吹出しダクト本体から冷気が吹き出される。冷気は下方へと対流し易いが、冷気が室内の天井面近傍から吹き出されることによって室内を幅広く冷房することができる。また、暖房時に第２吹出し口からの吹出しが自動的に行われることによって、補助送風装置の下方へと暖気が吹き出される。暖気は上方へと対流し易いが、暖気が下方へと吹き出されることによって室内を幅広く暖房することができる。このように、この吹出しダクト組立体では、効果的な室内の空気調和を簡易に行うことができる
請求項７に記載の吹出しダクト組立体は、接続部によって空気調和機に着脱自在に取り付けられる。このため、大きさや形状等の異なる吹出しダクト組立体への取換が容易である。また、吹出しダクト組立体が大きさや形状等の異なるものへ取り換えられることによって空気調和機の第１送風機の送風能力が不足することになっても、補助送風装置によって送風が補助される。従って、この吹出しダクト組立体では、大きさや形状等の異なるものへの取換が行われた場合であっても、室内の空気調和を適切に行うことができる。
【００５５】
請求項８に記載の吹出しダクト組立体では、吹出しダクト本体は、所定の輻射率を有する繊維系材料によって形成される。従って、吹出しダクト本体の内部空間を通る空気の温度によって吹出しダクト本体の温度が調整され、吹出しダクト本体が輻射面として機能する。また、吹出しダクト本体の繊維の隙間から、調和された空気が穏やかに室内へと吹き出される。このため、吹出しダクト本体からの穏やかな空気の吹出しによって室内の空気調和を行うことができる。このように、この吹出しダクト組立体では、輻射と穏やかな空気の吹出しとの両方によって室内の空気調和を行うことができる。これにより、この吹出しダクト組立体では、ドラフトによる不快感を抑えつつ室内の空気調和を行うことができる。
【００５６】
請求項９に記載の吹出しダクト組立体では、吹出しダクト本体は、略平板状の形状を有する。このため、比較的大きな輻射面を容易に確保することができる。これにより、この吹出しダクト組立体では、吹出しダクト本体の輻射面の面積を大きく確保することによって、室内の空気調和をより十分に行うことができる。請求項１０に記載の空気調和システムでは、空気調和機の第１送風機によって空気調和機から吹出しダクト本体の内部空間へと調和された空気が送られると共に、補助送風装置によって第１送風機による空気の送風が補助される。このため、第１送風機の送風能力が不足する場合であっても、空気調和機から送られる空気を室内へと十分に送ることができる。これにより、この空気調和システムでは、第１送風機の送風能力が不足する場合であっても、室内の空気調和を適切に行うことができる。
【図面の簡単な説明】
【図１】空気調和システムの全体図。
【図２】空気調和機の制御ブロック図。
【図３】吹出しダクト本体の外観図。
【図４】室内機および吹出しダクト組立体の側面断面図。
【図５】室内機および吹出しダクト組立体の側面断面図。
【図６】空気調和システムの冷房運転を示す図。
【図７】他の実施形態にかかる昇圧ユニットの制御ブロック図。
【符号の説明】
１          空気調和機
４          吹出しダクト組立体
５ａ，５ｂ  吹出しダクト本体
６          昇圧ユニット（補助送風装置）
８          昇圧ユニット制御部（制御部）
２３        室内ファン（第１送風機）
２７        送風口
６２        昇圧ファン（第２送風機）
６３        切換ダンパ（切換手段）
６４        吸込み口（吸込み口、接続部）
６５        第１吹出し口
６６        第２吹出し口
１００      空気調和システム
ＣＬ        天井面
ＰＳ        圧力発生空間（内部空間）
Ｒ          室内
【図１】
2004361052.tif 000003
【図２】
2004361052.tif 000004
【図３】
2004361052.tif 000005
【図４】
2004361052.tif 000006
【図５】
2004361052.tif 000007
【図６】
2004361052.tif 000008
【図７】
2004361052.tif 000009